(57)【要約】【課題】表示装置に表示された画面の切り替えが行われた場合において、ユーザの意図しない操作が行われることを防止した表示装置操作システム、表示装置の操作装置、表示装置操作方法及びコンピュータプログラムを提供する。【解決手段】液晶ディスプレイ１５に現在表示されている画面の種類と操作対応テーブル３２とに基づいて、遠隔操作部１９の各操作に対して、現在表示されている画面に対する操作内容を対応付けるとともに、特に、遠隔操作部１９の操作を受けている間に液晶ディスプレイ１５に表示された画面の切り替えが行われた場合には、切り替えが行われる前に液晶ディスプレイ１５に表示されていた画面に対する操作内容を遠隔操作部１９の操作に継続して対応付けるように構成する。【選択図】図７
2012189428.tif 000002
【特許請求の範囲】
【請求項１】
複数種類の画面を切り替えて表示装置に表示する画面表示手段と、
前記表示装置に表示されている画面に対する操作内容を、前記表示装置に離間して設置された遠隔操作部の操作に対応付ける操作対応手段と、
前記遠隔操作部の操作を受け付ける操作受付手段と、
前記操作受付手段により前記遠隔操作部の操作を受けた場合に、該受けた操作に対応付けられた操作内容に基づいて制御を行う制御手段と、を有し、
前記操作対応手段は、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とする表示装置操作システム。
【請求項２】
前記操作対応手段は、前記遠隔操作部による同一の操作を複数回連続又は所定時間継続して受けている間に前記表示装置に表示された画面の切り替えが行われた場合に、切り替えが行われる前に前記表示装置に表示されていた画面に対する操作内容を前記遠隔操作部の操作に継続して対応付けることを特徴とする請求項１に記載の表示装置操作システム。
【請求項３】
前記操作対応手段は、
前記遠隔操作部による同一の操作を複数回連続又は所定時間継続して受けている間に前記表示装置に表示された画面の切り替えが行われた場合に、該複数回の操作又は該所定時間継続した操作を受け終わるまで、切り替えが行われる前に前記表示装置に表示されていた画面に対する操作内容を前記遠隔操作部の操作に継続して対応付け、
該複数回の操作又は該所定時間継続した操作を受け終わった後に、切り替えが行われた後に前記表示装置に表示された画面に対する操作内容を前記遠隔操作部の操作に新たに対応付けることを特徴とする請求項２に記載の表示装置操作システム。
【請求項４】
前記操作対応手段は、前記遠隔操作部の操作を受けている間に前記表示装置に表示された画面の切り替えが行われた場合には、該画面の切り替えが行われてから所定時間経過するまで、切り替えが行われる前に前記表示装置に表示されていた画面に対する操作内容を前記遠隔操作部の操作に継続して対応付けることを特徴とする請求項１に記載の表示装置操作システム。
【請求項５】
複数種類の画面を切り替えて表示装置に表示する画面表示手段と、
前記表示装置に表示されている画面に対する操作内容を、前記表示装置に離間して設置された遠隔操作部の操作に対応付ける操作対応手段と、
前記遠隔操作部の操作を受け付ける操作受付手段と、
前記遠隔操作部の操作を受けた場合に、該受けた操作に対応付けられた操作内容に基づいて制御を行う制御手段と、を有し、
前記操作対応手段は、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とする表示装置の操作装置。
【請求項６】
複数種類の画面を切り替えて表示装置に表示する画面表示ステップと、
前記表示装置に表示されている画面に対する操作内容を、前記表示装置に離間して設置された遠隔操作部の操作に対応付ける操作対応ステップと、
前記遠隔操作部の操作を受け付ける操作受付ステップと、
前記操作受付ステップにより前記遠隔操作部の操作を受けた場合に、該受けた操作に対応付けられた操作内容に基づいて制御を行う制御ステップと、を有し、
前記操作対応ステップは、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とする表示装置操作方法。
【請求項７】
コンピュータに搭載され、
複数種類の画面を切り替えて表示装置に表示する画面表示機能と、
前記表示装置に表示されている画面に対する操作内容を、前記表示装置に離間して設置された遠隔操作部の操作に対応付ける操作対応機能と、
前記遠隔操作部の操作を受け付ける操作受付機能と、
前記操作受付機能により前記遠隔操作部の操作を受けた場合に、該受けた操作に対応付けられた操作内容に基づいて制御を行う制御機能と、をプロセッサに実行させるコンピュータプログラムであって、
前記操作対応機能は、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とするコンピュータプログラム。
【発明の詳細な説明】
【技術分野】
【０００１】
本発明は、表示装置に表示されている画面に対応して行われた操作に基づいて制御を行う表示装置操作システム、表示装置の操作装置、表示装置操作方法及びコンピュータプログラムに関する。
【背景技術】
【０００２】
近年、車両の走行案内を行い、運転者が所望の目的地に容易に到着できるようにしたナビゲーション装置が車両に搭載されていることが多い。ここで、ナビゲーション装置は、ＧＰＳ受信機などにより自車の現在位置を検出し、その現在位置に対応する地図データをＤＶＤ−ＲＯＭやＨＤＤなどの記録媒体またはネットワークを通じて取得して、自車位置周辺の地図画像を表示装置に表示することが可能である。また、近年は携帯電話機、ＰＤＡ（Personal Digital Assistant）、パーソナルコンピュータ等においても上記ナビゲーション装置と同様の機能を有するものがある。
【０００３】
更に、上記ナビゲーション装置等では、自車位置周辺の地図画像を含む画面（以下、走行案内画面という）以外にも、様々な画面を表示装置に対して表示することが可能である。例えば、ＴＶ画面を表示したり、メニュー画面を表示したり、施設等の検索画面を表示する。そして、ユーザが表示装置に表示された各種画面に対応する操作を実行することによって、各種制御が実行される。
【０００４】
しかしながら、上記ナビゲーション装置等では、ユーザの意図に反して画面間の切り替えが自動的に行われる場合がある。例えば、車両が停車した状態で表示装置にＴＶ画面を表示していた場合に、車両が走行を開始すると、ＴＶ画面から走行案内画面へと画面が自動的に切り替わることとなる（例えば、特開２００６−２４２８８９号公報参照）。
【先行技術文献】
【特許文献】
【０００５】
【特許文献１】特開２００６−２４２８８９（第７頁〜第９頁、図６）
【発明の概要】
【発明が解決しようとする課題】
【０００６】
ここで、表示装置に表示された画面に対する操作（例えば、走行案内画面が表示されている場合には地図画面の拡大や縮小、ＴＶ画面が表示されている場合にはチャンネルの変更や音量の調整など）は、リモコンやステアリングスイッチ等の表示装置から離間して配置された遠隔操作部でも行うことが可能である。そして、遠隔操作部に配置された各種ボタン（即ち、遠隔操作部の操作）は、基本的に表示装置に表示された画面毎に異なる操作内容が対応付けられている。その結果、上記特許文献１に記載された発明のように自動で表示装置に表示された画面の切り替えを行うこととすると、以下の問題が生じていた。
【０００７】
即ち、ユーザが切り替えの行われる前の画面に対応する操作を遠隔操作部で行っている途中で画面の切り替えが行われると、切り替えが行われた時点からは、切り替えの行われた後の画面に対応する操作が継続して行われることとなる。例えば、遠隔操作部に配置された同一のボタン（即ち、遠隔操作部の同一操作）が、ＴＶ画面における音量調整操作と走行案内画面における地図画像の縮尺変更操作とに対応している場合には、ＴＶ画面の音量調整を操作している状態でＴＶ画面から走行案内画面への画面の切り換えが行われると、画面の切り替えが行われた直後に、表示された走行案内画面の地図画像の縮尺がユーザの意図に反して変更されることとなる。
【０００８】
本発明は前記従来における問題点を解消するためになされたものであり、表示装置に表示された画面の切り替えが行われた場合において、ユーザの意図しない操作が行われることを防止した表示装置操作システム、表示装置の操作装置、表示装置操作方法及びコンピュータプログラムを提供することを目的とする。
【課題を解決するための手段】
【０００９】
前記目的を達成するため本願の請求項１に係る表示装置操作システム（１）は、複数種類の画面（５０、６０）を切り替えて表示装置（１５）に表示する画面表示手段（１３）と、前記表示装置に表示されている画面に対する操作内容を、前記表示装置に離間して設置された遠隔操作部（１９）の操作に対応付ける操作対応手段（１３）と、前記遠隔操作部の操作を受け付ける操作受付手段（１３）と、前記操作受付手段により前記遠隔操作部の操作を受けた場合に、該受けた操作に対応付けられた操作内容に基づいて制御を行う制御手段（１３）と、を有し、前記操作対応手段（１３）は、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とする。
【００１０】
また、請求項２に係る表示装置操作システム（１）は、請求項１に記載の表示装置操作システムにおいて、前記操作対応手段（１３）は、前記遠隔操作部（１９）による同一の操作を複数回連続又は所定時間継続して受けている間に前記表示装置（１５）に表示された画面の切り替えが行われた場合に、切り替えが行われる前に前記表示装置に表示されていた画面に対する操作内容を前記遠隔操作部の操作に継続して対応付けることを特徴とする。
【００１１】
また、請求項３に係る表示装置操作システム（１）は、請求項２に記載の表示装置操作システムにおいて、前記操作対応手段（１３）は、前記遠隔操作部（１９）による同一の操作を複数回連続又は所定時間継続して受けている間に前記表示装置（１５）に表示された画面の切り替えが行われた場合に、該複数回の操作又は該所定時間継続した操作を受け終わるまで、切り替えが行われる前に前記表示装置に表示されていた画面に対する操作内容を前記遠隔操作部の操作に継続して対応付け、該複数回の操作又は該所定時間継続した操作を受け終わった後に、切り替えが行われた後に前記表示装置に表示された画面に対する操作内容を前記遠隔操作部の操作に新たに対応付けることを特徴とする。
【００１２】
また、請求項４に係る表示装置操作システム（１）は、請求項１に記載の表示装置操作システムにおいて、前記操作対応手段（１３）は、前記遠隔操作部（１９）の操作を受けている間に前記表示装置（１５）に表示された画面（５０、６０）の切り替えが行われた場合には、該画面の切り替えが行われてから所定時間経過するまで、切り替えが行われる前に前記表示装置に表示されていた画面に対する操作内容を前記遠隔操作部の操作に継続して対応付けることを特徴とする。
【００１３】
また、請求項５に係る表示装置の操作装置（１）は、複数種類の画面（５０、６０）を切り替えて表示装置（１５）に表示する画面表示手段（１３）と、前記表示装置に表示されている画面に対する操作内容を、前記表示装置に離間して設置された遠隔操作部（１９）の操作に対応付ける操作対応手段（１３）と、前記遠隔操作部の操作を受け付ける操作受付手段（１３）と、前記遠隔操作部の操作を受けた場合に、該受けた操作に対応付けられた操作内容に基づいて制御を行う制御手段（１３）と、を有し、前記操作対応手段は、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とする。
【００１４】
また、請求項６に係る表示装置操作方法は、複数種類の画面（５０、６０）を切り替えて表示装置（１５）に表示する画面表示ステップと、前記表示装置に表示されている画面に対する操作内容を、前記表示装置に離間して設置された遠隔操作部（１９）の操作に対応付ける操作対応ステップと、前記遠隔操作部の操作を受け付ける操作受付ステップと、前記操作受付ステップにより前記遠隔操作部の操作を受けた場合に、該受けた操作に対応付けられた操作内容に基づいて制御を行う制御ステップと、を有し、前記操作対応ステップは、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とする。
【００１５】
更に、請求項７に係るコンピュータプログラムは、コンピュータに搭載され、複数種類の画面（５０、６０）を切り替えて表示装置（１５）に表示する画面表示機能と、前記表示装置に表示されている画面に対する操作内容を、前記表示装置に離間して設置された遠隔操作部（１９）の操作に対応付ける操作対応機能と、前記遠隔操作部の操作を受け付ける操作受付機能と、前記操作受付機能により前記遠隔操作部の操作を受けた場合に、該受けた操作に対応付けられた操作内容に基づいて制御を行う制御機能と、をプロセッサに実行させるコンピュータプログラムであって、前記操作対応機能は、前記遠隔操作部の操作を受けている間に前記表示装置に表示された画面の切り替えが行われた場合には、切り替えが行われる前に前記表示装置に表示されていた画面に対する操作内容を前記遠隔操作部の操作に継続して対応付けることを特徴とする。
【発明の効果】
【００１６】
前記構成を有する請求項１に記載の表示装置操作システムによれば、遠隔操作部の操作を受けている間に表示装置に表示された画面の切り替えが行われた場合に、切り替えが行われる前に表示装置に表示されていた画面に対する操作内容を遠隔操作部の操作に継続して対応付けるので、表示装置に表示する画面が切り替わった直後に、ユーザの意図に反して切り替え後の画面に対する操作が行われることを防止することができる。
【００１７】
また、請求項２に記載の表示装置操作システムによれば、特に遠隔操作部による同一の操作を複数回連続又は所定時間継続して受けている間に表示装置に表示された画面の切り替えが行われた場合に、切り替えが行われる前に表示装置に表示されていた画面に対する操作内容を遠隔操作部の操作に継続して対応付けるので、表示装置に表示する画面が切り替わった直後に、ユーザの意図に反して切り替え後の画面に対する操作が連続又は継続して行われることを防止することができる。
【００１８】
また、請求項３に記載の表示装置操作システムによれば、表示装置に表示する画面が切り替わった直後に、ユーザの意図に反して切り替え後の画面に対する操作が連続又は継続して行われることを防止しつつ、操作を受け終わった後は、遠隔操作部の操作に基づいて切り替え後の画面に対する各種操作を適切に行うことが可能となる。
【００１９】
また、請求項４に記載の表示装置操作システムによれば、遠隔操作部の操作を受けている間に表示装置に表示された画面の切り替えが行われた場合には、該画面の切り替えが行われてから所定時間経過するまで、切り替えが行われる前に表示装置に表示されていた画面に対する操作内容を遠隔操作部の操作に継続して対応付けるので、表示装置に表示する画面が切り替わった直後に、ユーザの意図に反して切り替え後の画面に対する操作が行われることを防止しつつ、操作を受け終わったと予測される後は、遠隔操作部の操作に基づいて切り替え後の画面に対する各種操作を適切に行うことが可能となる。
【００２０】
また、請求項５に記載の表示装置の操作装置によれば、遠隔操作部の操作を受けている間に表示装置に表示された画面の切り替えが行われた場合に、切り替えが行われる前に表示装置に表示されていた画面に対する操作内容を遠隔操作部の操作に継続して対応付けるので、表示装置に表示する画面が切り替わった直後に、ユーザの意図に反して切り替え後の画面に対する操作が行われることを防止することができる。
【００２１】
また、請求項６に記載の表示装置の操作方法によれば、遠隔操作部の操作を受けている間に表示装置に表示された画面の切り替えが行われた場合に、切り替えが行われる前に表示装置に表示されていた画面に対する操作内容を遠隔操作部の操作に継続して対応付けるので、表示装置に表示する画面が切り替わった直後に、ユーザの意図に反して切り替え後の画面に対する操作が行われることを防止することができる。
【００２２】
更に、請求項７に記載のコンピュータプログラムによれば、遠隔操作部の操作を受けている間に表示装置に表示された画面の切り替えが行われた場合に、切り替えが行われる前に表示装置に表示されていた画面に対する操作内容を遠隔操作部の操作に継続して対応付けさせるので、表示装置に表示する画面が切り替わった直後に、ユーザの意図に反して切り替え後の画面に対する操作が行われることを防止することができる。
【図面の簡単な説明】
【００２３】
【図１】本実施形態に係るナビゲーション装置を示したブロック図である。
【図２】液晶ディスプレイに表示される走行案内画面を示した図である。
【図３】液晶ディスプレイに表示されるＴＶ画面を示した図である。
【図４】操作対応テーブルの一例を示した図である。
【図５】本実施形態に係る操作対応処理プログラムのフローチャートである。
【図６】液晶ディスプレイに表示された画面の切り替えに基いて、遠隔操作部の操作に対応付けられる操作内容の変化について示した図である。
【図７】液晶ディスプレイに表示された画面の切り替えに基いて、遠隔操作部の操作に対応付けられる操作内容の変化について示した図である。
【図８】本実施形態に係る画面操作処理プログラムのフローチャートである。
【発明を実施するための形態】
【００２４】
以下、本発明に係る表示装置操作システム及び表示装置の操作装置をナビゲーション装置に具体化した一実施形態に基づき図面を参照しつつ詳細に説明する。先ず、本実施形態に係るナビゲーション装置１の概略構成について図１を用いて説明する。図１は本実施形態に係るナビゲーション装置１を示したブロック図である。
【００２５】
図１に示すように本実施形態に係るナビゲーション装置１は、ナビゲーション装置１が搭載された車両の現在位置を検出する現在位置検出部１１と、各種のデータが記録されたデータ記録部１２と、入力された情報に基づいて、各種の演算処理を行うナビゲーションＥＣＵ１３と、ユーザからの操作を受け付ける操作部１４と、ユーザに対して車両周辺の地図やＴＶ画面等の各種画面を表示する液晶ディスプレイ１５と、経路案内に関する音声ガイダンスを出力するスピーカ１６と、記憶媒体であるＤＶＤを読み取るＤＶＤドライブ１７と、プローブセンタやＶＩＣＳ（登録商標：Vehicle Information and Communication System）センタ等の情報センタとの間で通信を行う通信モジュール１８と、から構成されている。また、ナビゲーション装置１には、液晶ディスプレイ１５に離間して設置され、液晶ディスプレイ１５に表示されている画面に対する各種操作を受け付ける遠隔操作部１９が接続されている。
【００２６】
以下に、ナビゲーション装置１を構成する各構成要素について順に説明する。
現在位置検出部１１は、ＧＰＳ２１、車速センサ２２、ステアリングセンサ２３、ジャイロセンサ２４等からなり、現在の車両の位置、方位、車両の走行速度、現在時刻等を検出することが可能となっている。ここで、特に車速センサ２２は、車両の移動距離や車速を検出する為のセンサであり、車両の駆動輪の回転に応じてパルスを発生させ、パルス信号をナビゲーションＥＣＵ１３に出力する。そして、ナビゲーションＥＣＵ１３は発生するパルスを計数することにより駆動輪の回転速度や移動距離を算出する。尚、上記５種類のセンサをナビゲーション装置１が全て備える必要はなく、これらの内の１又は複数種類のセンサのみをナビゲーション装置１が備える構成としても良い。
【００２７】
また、データ記録部１２は、外部記憶装置及び記録媒体としてのハードディスク（図示せず）と、ハードディスクに記録された地図情報ＤＢ３１、操作対応テーブル３２、所定のプログラム等を読み出すとともにハードディスクに所定のデータを書き込む為のドライバである記録ヘッド（図示せず）とを備えている。尚、データ記録部１２をハードディスクの代わりにメモリーカードやＣＤやＤＶＤ等の光ディスクにより構成しても良い。
【００２８】
ここで、地図情報ＤＢ３１は、例えば、道路（リンク）に関するリンクデータ、ノード点に関するノードデータ、施設等の地点に関する地点データ、地図を表示するための地図表示データ、各交差点に関する交差点データ、経路を探索するための探索データ、地点を検索するための検索データ等が記憶された記憶手段である。
【００２９】
また、操作対応テーブル３２は、液晶ディスプレイ１５に表示される複数種類の画面毎に、画面に対する操作内容を遠隔操作部１９の操作に対応づけて記憶したデータである。ここで、本実施形態に係るナビゲーション装置１では、液晶ディスプレイ１５に表示される画面として、例えば（Ａ）車両周辺の地図画像を示す走行案内画面、（Ｂ）任意のエリアの地図画像を示す地図表示画面、（Ｃ）テレビ放送を受像したＴＶ画面、（Ｄ）ナビゲーション装置１における各種設定や画面の呼び出しを行う為のメニュー画面、（Ｅ）目的地等に設定する為の施設を検索する施設検索画面等がある。そして、操作対応テーブル３２では、上記（Ａ）〜（Ｅ）の画面毎に、画面に対する操作内容を遠隔操作部１９の操作に対応づけて記憶する。
【００３０】
ここで、液晶ディスプレイ１５に表示される各画面の内、特に（Ａ）走行案内画面と（Ｃ）ＴＶ画面について図２及び図３を用いてそれぞれ簡単に説明する。
先ず、図２は、車両周辺の地図画像を示す走行案内画面５０を示した図である。
図２に示すように液晶ディスプレイ１５に表示される走行案内画面５０には、車両の現在位置周辺の地図画像５１と、地図上にマッチングされた車両の現在位置を示す自車位置マーク５２と、地図画像５１の表示対象領域の中央位置を特定する中央カーソル５３と、ナビゲーション装置１に現在設定されている案内経路５４（案内経路が設定されている場合のみ表示）と、ナビゲーション装置１で所定機能を実行させる為に選択される各種ボタン５５〜５９とが表示される。そして、ユーザは走行案内画面５０を参照することによって、現在の車両周辺の施設情報や道路形状（案内経路が設定されている場合には案内経路を含む）等を把握することが可能となる。また、ユーザは遠隔操作部１９で操作を行うことによって、地図画像５１の縮尺の変更、メニュー画面等の他の画面への表示の切り替え、地図画像５１のスクロール等を行うことが可能となる。
【００３１】
次に、図３は、テレビ放送を受像したＴＶ画面６０を示した図である。
図３に示すように液晶ディスプレイ１５に表示されるＴＶ画面６０には、ユーザにより選択されたチャンネルの放送局の放送画像６１と、チャンネル名と放送局を示すチャンネル情報６２とが表示される。そして、ユーザはＴＶ画面６０を参照することによって、ＴＶ放送を視聴可能になるとともに、現在視聴している放送の放送局や現在選択されているチャンネル番号を把握することが可能となる。また、ユーザは遠隔操作部１９で操作を行うことによって、スピーカ１６から出力されるテレビ音量の調整、受像するチャンネルの変更等を行うことが可能となる。また、本実施形態に係るナビゲーション装置１では、ＴＶ画面６０が表示された状態で車両が走行を開始した場合には、ＴＶ画面６０から走行案内画面５０へと液晶ディスプレイ１５に表示された画面が自動的に切り替わるように構成されている。
【００３２】
続いて、図４を用いて、ナビゲーション装置１のデータ記録部１２に記録される操作対応テーブル３２の一例について説明する。
図４に示すように、操作対応テーブル３２には、液晶ディスプレイ１５に表示される画面の種類毎に、画面に対する操作内容が遠隔操作部１９の操作に対応づけて設定されている。
例えば、車両周辺の地図画像を示す走行案内画面５０では、遠隔操作部１９に配置された『Ｘボタン』の押下に対しては、『地図画像５１の縮尺の拡大操作』という操作内容が対応付けられている。また、遠隔操作部１９に配置された『Ｙボタン』の押下に対しては、『地図画像５１の縮尺の縮小操作』という操作内容が対応付けられている。また、遠隔操作部１９に配置された『カーソルキー』の押下に対しては、『地図画像５１のスクロール操作』という操作内容が対応付けられている。
一方、テレビ放送を受像したＴＶ画面６０では、遠隔操作部１９に配置された『Ｘボタン』の押下に対しては、『テレビ音量のアップ操作』という操作内容が対応付けられている。また、遠隔操作部１９に配置された『Ｙボタン』の押下に対しては、『テレビ音量のダウン操作』という操作内容が対応付けられている。また、遠隔操作部１９に配置された『カーソルキー』の押下に対しては、『チャンネルの変更操作』という操作内容が対応付けられている。
同様に、他の種類の画面についても、画面毎に画面に対する操作内容が遠隔操作部１９の操作に対応づけて設定されている。
【００３３】
そして、ナビゲーションＥＣＵ１３は、液晶ディスプレイ１５に現在表示されている画面の種類と操作対応テーブル３２とに基づいて、遠隔操作部１９の各操作に対して、現在表示されている画面に対する操作内容を対応付ける。また、遠隔操作部１９の操作を受けた場合には、受け付けた操作に対応付けられた操作内容に基づいて、ナビゲーション装置１の制御（地図画像の縮尺変更、音量調整等）を実行する。一方、液晶ディスプレイ１５に表示された画面の切り替えが行われた場合には、切り替えが行われた後に液晶ディスプレイ１５に表示される画面に対する操作内容へと、遠隔操作部１９の操作の対応付けが変更される。例えば、液晶ディスプレイ１５に表示された画面がＴＶ画面６０から走行案内画面５０へと切り替わった場合には、『Ｘボタンの押下』に対応付けられた操作内容は『テレビ音量のアップ操作』から『地図画像５１の縮尺の拡大操作』へと変更される。但し、後述のように遠隔操作部１９の操作を受けている間（例えば、Ｘボタンが継続して押された状態にある間やＸボタンが連続して押下されている間）に液晶ディスプレイ１５に表示された画面の切り替えがユーザの操作に基づかずに行われた場合には、操作を受け終わるまで、切り替えが行われる前に液晶ディスプレイ１５に表示されていた画面に対する操作内容を遠隔操作部１９の操作に継続して対応付ける。詳細については後述する。
【００３４】
一方、ナビゲーションＥＣＵ（エレクトロニック・コントロール・ユニット）１３は、ナビゲーション装置１の全体の制御を行う電子制御ユニットであり、演算装置及び制御装置としてのＣＰＵ４１、並びにＣＰＵ４１が各種の演算処理を行うにあたってワーキングメモリとして使用されるとともに、経路が探索されたときの経路データ等が記憶されるＲＡＭ４２、制御用のプログラムのほか、後述の操作対応処理プログラム（図５参照）や画面操作処理プログラム（図８参照）等が記録されたＲＯＭ４３、ＲＯＭ４３から読み出したプログラムを記憶するフラッシュメモリ４４等の内部記憶装置を備えている。尚、ナビゲーションＥＣＵ１３は、処理アルゴリズムとしての各種手段を構成する。例えば、案内経路設定手段は、出発地（例えば車両の現在位置）から目的地までの案内経路を設定する。画面表示手段は、複数種類の画面を切り替えて液晶ディスプレイ１５に表示する。操作対応手段は、液晶ディスプレイ１５に表示されている画面に対する操作内容を、液晶ディスプレイ１５に離間して設置された遠隔操作部１９の操作に対応付ける。操作受付手段は、遠隔操作部１９の操作を受け付け、制御手段は、遠隔操作部１９の操作を受けた場合に、該受けた操作に対応付けられた操作内容に基づいてナビゲーション装置１の制御を行う。
【００３５】
操作部１４は、走行開始地点としての出発地及び走行終了地点としての目的地を入力する際等に操作され、各種のキー、ボタン等の複数の操作スイッチ（図示せず）から構成される。そして、ナビゲーションＥＣＵ１３は、各スイッチの押下等により出力されるスイッチ信号に基づき、対応する各種の動作を実行すべく制御を行う。尚、操作部１４は液晶ディスプレイ１５の前面に設けたタッチパネルによって構成することもできる。また、マイクと音声認識装置によって構成することもできる。
【００３６】
また、液晶ディスプレイ１５には、上述した走行案内画面５０（図２）、地図表示画面、ＴＶ画面６０（図３）、メニュー画面、施設検索画面等が切り替えて表示される。例えば、ユーザによる所定の操作を受け付けた場合や車両が走行を開始した場合に、表示されている画面が他の画面へと切り替えられる。
【００３７】
また、スピーカ１６は、ナビゲーションＥＣＵ１３からの指示に基づいて案内経路に沿った走行を案内する音声ガイダンスや、交通情報の案内を出力する。
【００３８】
また、ＤＶＤドライブ１７は、ＤＶＤやＣＤ等の記録媒体に記録されたデータを読み取り可能なドライブである。そして、読み取ったデータに基づいて音楽や映像の再生、地図情報ＤＢ３１の更新等が行われる。尚、ＤＶＤドライブ１７の代わりにＨＤＤやメモリーカードリーダを備える構成としても良い。
【００３９】
また、通信モジュール１８は、交通情報センタ、例えば、ＶＩＣＳセンタやプローブセンタ等から送信された渋滞情報、規制情報、交通事故情報等の各情報から成る交通情報を受信する為の通信装置であり、例えば携帯電話機やＤＣＭが該当する。
【００４０】
また、遠隔操作部１９は、液晶ディスプレイ１５に離間して設置され、液晶ディスプレイ１５に表示されている画面に対する各種操作を受け付ける為の手段である。例えば、遠隔操作部１９としては、リモコンや車両のハンドルに設置されたステアリングスイッチ等が該当する。また、遠隔操作部１９は、ナビゲーション装置１に対して有線又は無線によって接続され、遠隔操作部１９の操作（ボタンの押下等）に基づいて操作信号をナビゲーション装置１に出力する。そして、ナビゲーションＥＣＵ１３は、受信した操作信号に基づき、対応する各種の動作を実行すべくナビゲーション装置１の制御を行う。
【００４１】
続いて、前記構成を有するナビゲーション装置１においてＣＰＵ４１が実行する操作対応処理プログラムについて図５に基づき説明する。図５は本実施形態に係る操作対応処理プログラムのフローチャートである。ここで、操作対応処理プログラムは、車両のＡＣＣがＯＮされた後に所定間隔で繰り返し実行され、液晶ディスプレイ１５に表示する画面に応じて、画面に対する操作内容を遠隔操作部１９の操作に対応付けるプログラムである。尚、以下の図５及び図８にフローチャートで示されるプログラムは、ナビゲーション装置１が備えているＲＡＭ４２やＲＯＭ４３に記憶されており、ＣＰＵ４１により実行される。
【００４２】
先ず、操作対応処理プログラムではステップ（以下、Ｓと略記する）１において、ＣＰＵ４１は、液晶ディスプレイ１５に現在表示されている画面の種類と操作対応テーブル３２（図４）とに基づいて、遠隔操作部１９の各操作に対して、現在表示されている画面に対する操作内容を対応付ける。尚、液晶ディスプレイ１５表示される画面としては、走行案内画面５０（図２）、地図表示画面、ＴＶ画面６０（図３）、メニュー画面、施設検索画面等がある。また、ＡＣＣがオンされた直後には、車両周辺の地図画像である走行案内画面５０（図２）が基本的に表示される。尚、前記Ｓ１の処理はＡＣＣがオンされた直後のみにおいて実行される。
【００４３】
次に、Ｓ２においてＣＰＵ４１は、液晶ディスプレイ１５に表示されている画面が他の画面へと切り替えられたか否かを判定する。尚、画面の切り替えは、ユーザによる画面切り替えの為の操作を受けた場合に加えて、車両が走行を開始した場合等のユーザの操作に基づかない条件を満たした場合にも行われる。
【００４４】
そして、液晶ディスプレイ１５に表示されている画面が他の画面へと切り替えられたと判定された場合（Ｓ２：ＹＥＳ）には、Ｓ３へと移行する。それに対して、液晶ディスプレイ１５に表示されている画面が他の画面へと切り替えられていないと判定された場合（Ｓ２：ＮＯ）には、当該操作対応処理プログラムを終了する。
【００４５】
Ｓ３においてＣＰＵ４１は、液晶ディスプレイ１５に表示されている画面の切り替えが、ユーザの操作に基づいて行われたか否かを判定する。具体的には、ユーザの操作に基づいて画面の切り替えが行われる場合としては、例えば、操作部１４において画面切り替えの為の所定の操作を受けて画面が切り替えられた場合等が該当する。また、ユーザの操作に基づかずに画面が切り替えられる場合としては、例えば、車両が開始されたことによってＴＶ画面６０が走行案内画面５０へと切り替えられた場合等が該当する。
【００４６】
そして、液晶ディスプレイ１５に表示されている画面の切り替えが、ユーザの操作に基づいて行われたと判定された場合（Ｓ３：ＹＥＳ）には、Ｓ４へと移行する。それに対して、液晶ディスプレイ１５に表示されている画面の切り替えが、ユーザの操作に基づかずに行われたと判定された場合（Ｓ３：ＮＯ）には、Ｓ５へと移行する。
【００４７】
Ｓ４においてＣＰＵ４１は、切り替えられた後に液晶ディスプレイ１５に表示される画面の種類と操作対応テーブル３２（図４）とに基づいて、遠隔操作部１９の各操作に対して、切り替え後の画面に対する操作内容を新たに対応付ける。例えば、図６に示すように液晶ディスプレイ１５に表示された画面がＴＶ画面６０から走行案内画面５０へと切り替わった場合には、画面の切り替えが行われると同時に、遠隔操作部１９の操作に対応付けられた操作内容を、ＴＶ画面６０から走行案内画面５０に対する操作内容へと変更する。例えば、『Ｘボタンの押下』に対応付けられた操作内容は『テレビ音量のアップ操作』から『地図画像５１の縮尺の拡大操作』へと変更される。その結果、ユーザは遠隔操作部１９を操作することによって、切り替え後の画面に対する各種操作を行うことが可能となる（図８参照）。
【００４８】
一方、Ｓ５においてＣＰＵ４１は、遠隔操作部１９の操作を受けている間に液晶ディスプレイ１５に表示されている画面の切り替えが行われたか否かを判定する。具体的には、遠隔操作部１９による同一の操作（例えば、Ｘボタンの押下）を複数回連続又は所定時間継続して受けている間に、液晶ディスプレイ１５に表示された画面の切り替えが行われた場合等が、遠隔操作部１９の操作を受けている間に液晶ディスプレイ１５に表示されている画面の切り替えが行われた場合に該当する。尚、ＣＰＵ４１は、遠隔操作部１９の操作内容を、遠隔操作部１９の操作に基づいて遠隔操作部１９から出力される操作信号を受信することによって特定する。
【００４９】
そして、遠隔操作部１９の操作を受けている間に液晶ディスプレイ１５に表示されている画面の切り替えが行われたと判定された場合（Ｓ５：ＹＥＳ）には、Ｓ６へと移行する。それに対して、遠隔操作部１９の操作を受けている間以外に液晶ディスプレイ１５に表示されている画面の切り替えが行われたと判定された場合（Ｓ５：ＮＯ）には、Ｓ４へと移行する。そして、Ｓ４でＣＰＵ４１は、前記したように遠隔操作部１９の各操作に対して、切り替え後の画面に対する操作内容を新たに対応付ける（図６参照）。
【００５０】
Ｓ６においてＣＰＵ４１は、液晶ディスプレイ１５に表示されている画面が切り替えられた際に受けていた遠隔操作部１９の操作を、受け終わったか否かを判定する。具体的には、遠隔操作部１９による同一の操作（例えば、Ｘボタンの押下）を複数回連続又は所定時間継続して受けている間に、液晶ディスプレイ１５に表示された画面の切り替えが行われた場合には、該複数回連続又は所定時間継続した操作を受け終わったか否か判定する。尚、前記Ｓ６では、画面の切り替えが行われてから所定時間（例えば、５ｓｅｃ）経過したか否かを判定しても良い。又は、操作を受け終わってから所定時間（例えば、３ｓｅｃ）経過したか否かを判定しても良い。
【００５１】
そして、液晶ディスプレイ１５に表示されている画面が切り替えられた際に受けていた遠隔操作部１９の操作を、受け終わっていないと判定された場合（Ｓ６：ＮＯ）には、受け終わるまで待機する。
【００５２】
一方、液晶ディスプレイ１５に表示されている画面が切り替えられた際に受けていた遠隔操作部１９の操作を、受け終わったと判定された場合（Ｓ６：ＹＥＳ）には、Ｓ４へと移行する。その後、Ｓ４においてＣＰＵ４１は、切り替えられた後に液晶ディスプレイ１５に表示されている画面の種類と操作対応テーブル３２（図４）とに基づいて、遠隔操作部１９の各操作に対して、切り替え後の画面に対する操作内容を新たに対応付ける。従って、図７に示すように液晶ディスプレイ１５に表示された画面がＴＶ画面６０から走行案内画面５０へと切り替わった場合であっても、ＣＰＵ４１は、遠隔操作部１９の操作を受け終わるまでは、遠隔操作部１９の操作にはＴＶ画面６０に対する操作内容を継続して対応付ける。そして、遠隔操作部１９の操作を受け終わった後に、遠隔操作部１９の操作に対応付けられた操作内容を、ＴＶ画面６０から走行案内画面５０に対する操作内容へと変更する。例えば、『Ｘボタンの押下』に対応付けられた操作内容は『テレビ音量のアップ操作』から『地図画像５１の縮尺の拡大操作』へと変更される。その結果、液晶ディスプレイ１５に表示する画面が切り替わった直後に、ユーザの意図に反して切り替え後の画面に対する操作（例えば、地図画像５１の縮尺の拡大操作）が行われることがない。また、画面が切り替えられた際に受けていた遠隔操作部１９の操作を受け終わった後は、ユーザは遠隔操作部１９を操作することによって、切り替え後の画面に対する各種操作を行うことが可能となる（図８参照）。
【００５３】
続いて、ナビゲーション装置１においてＣＰＵ４１が実行する画面操作処理プログラムについて図８に基づき説明する。図８は本実施形態に係る画面操作処理プログラムのフローチャートである。ここで、画面操作処理プログラムは、車両のＡＣＣがＯＮされた後に所定間隔で繰り返し実行され、遠隔操作部１９の操作を受けた場合に、受けた操作に対応付けられた操作内容に基づいてナビゲーション装置１の各種制御を行うプログラムである。
【００５４】
先ず、画面操作処理プログラムでは、Ｓ１１においてＣＰＵ４１は、遠隔操作部１９の操作を受けたか否かを判定する。具体的にＣＰＵ４１は、遠隔操作部１９の操作に基づいて遠隔操作部１９から出力される操作信号を受信した場合に、遠隔操作部１９の操作を受けたと判定する。
【００５５】
そして、遠隔操作部１９の操作を受けたと判定された場合（Ｓ１１：ＹＥＳ）には、Ｓ１２へと移行する。それに対して、遠隔操作部１９の操作を受けていないと判定された場合（Ｓ１１：ＮＯ）には、当該画面操作処理プログラムを終了する。
【００５６】
Ｓ１２においてＣＰＵ４１は、遠隔操作部１９により受け付けた操作に対応付けられた操作内容を特定する。尚、遠隔操作部１９の各操作に対する操作内容の対応付けは、前記したように前記Ｓ１及びＳ４で実施される。
【００５７】
その後、Ｓ１３においてＣＰＵ４１は、前記Ｓ１２で特定された操作内容に基づいて、ナビゲーション装置１の制御を実行する。例えば、遠隔操作部１９の操作が走行案内画面５０の操作内容に対応付けられている場合には、遠隔操作部１９の操作に応じて地図画像５１の縮尺変更や地図画像５１のスクロールが行われる。また、遠隔操作部１９の操作がＴＶ画面６０の操作内容に対応付けられている場合には、遠隔操作部１９の操作に応じてテレビ音量の調整やチャンネルの変更が行われる。
【００５８】
以上詳細に説明した通り、本実施形態に係るナビゲーション装置１、ナビゲーション装置１における操作方法及びナビゲーション装置１で実行されるコンピュータプログラムでは、液晶ディスプレイ１５に現在表示されている画面の種類と操作対応テーブル３２（図４）とに基づいて、遠隔操作部１９の各操作に対して、現在表示されている画面に対する操作内容を対応付ける（Ｓ１、Ｓ４）とともに、特に、遠隔操作部１９の操作を受けている間に液晶ディスプレイ１５に表示された画面の切り替えが行われた場合には、切り替えが行われる前に液晶ディスプレイ１５に表示されていた画面に対する操作内容を遠隔操作部１９の操作に継続して対応付けるので、液晶ディスプレイ１５に表示する画面が切り替わった直後に、ユーザの意図に反して切り替え後の画面に対する操作が行われることを防止することができる。
また、画面が切り替えられた際に受けていた遠隔操作部１９の操作を受け終わった後は、切り替えが行われた後に液晶ディスプレイ１５に表示されている画面に対する操作内容を遠隔操作部１９の操作に新たに対応付けるので、ユーザは遠隔操作部１９を操作することによって、切り替え後の画面に対する各種操作を適切に行うことが可能となる。
また、特に遠隔操作部１９による同一の操作を複数回連続又は所定時間継続して受けている間に液晶ディスプレイ１５に表示された画面の切り替えが行われた場合に、切り替えが行われる前に液晶ディスプレイ１５に表示されていた画面に対する操作内容を遠隔操作部１９の操作に継続して対応付けるので、液晶ディスプレイ１５に表示する画面が切り替わった直後に、ユーザの意図に反して切り替え後の画面に対する操作が連続又は継続して行われることを防止することができる。
【００５９】
尚、本発明は前記実施形態に限定されるものではなく、本発明の要旨を逸脱しない範囲内で種々の改良、変形が可能であることは勿論である。
例えば、本実施形態では前記Ｓ６において、液晶ディスプレイ１５に表示されている画面が切り替えられた際に受けていた遠隔操作部１９の操作を受け終わった場合に、切り替え後の画面に対する操作内容を新たに対応付けることとしているが、画面の切り替えが行われてから所定時間（例えば、５ｓｅｃ）経過した場合に、切り替え後の画面に対する操作内容を新たに対応付ける構成としても良い。そのような構成とした場合であっても、液晶ディスプレイ１５に表示する画面が切り替わった直後に、ユーザの意図に反して切り替え後の画面に対する操作が行われることを防止しつつ、操作を受け終わったと予測される後は、遠隔操作部１９の操作に基づいて切り替え後の画面に対する各種操作を適切に行うことが可能となる。また、遠隔操作部１９の操作を受け終わってから所定時間（例えば、３ｓｅｃ）経過した場合に、切り替え後の画面に対する操作内容を新たに対応付ける構成としても良い。
【００６０】
また、本実施形態では、ユーザの操作に基づくことなく液晶ディスプレイ１５に表示された画面の切り替えが行われた場合に、切り替え前の画面に対する操作内容を継続して対応付けることとしているが、ユーザの操作に基づいて液晶ディスプレイ１５に表示された画面の切り替えが行われた場合であっても、切り替え前の画面に対する操作内容を継続して対応付ける構成としても良い。
【００６１】
また、本実施形態では、遠隔操作部１９による同一の操作（例えば、Ｘボタンの押下）を複数回連続又は所定時間継続して受けている間に、液晶ディスプレイ１５に表示された画面の切り替えが行われた場合に、切り替え前の画面に対する操作内容を継続して対応付けることとしているが、異なる操作を複数回連続して（例えば、Ｘボタンの押下とＹボタンの押下をランダムで連続して行う操作を）受けている間に、液晶ディスプレイ１５に表示された画面の切り替えが行われた場合であっても、切り替え前の画面に対する操作内容を継続して対応付ける構成としても良い。
【００６２】
また、本実施形態では、遠隔操作部１９としてリモコンやステアリングスイッチを例に挙げて説明しているが、遠隔操作部１９はマウスやキーボード等の他の操作手段であっても良い。
【００６３】
また、本発明はナビゲーション装置以外に、複数種類の画面を切り替えて表示する機能とリモコン等の遠隔操作部とを有する装置に対して適用することが可能である。例えば、携帯電話機やＰＤＡ等の携帯端末、パーソナルコンピュータ、携帯型音楽プレイヤ等（以下、携帯端末等という）に適用することも可能である。また、サーバと携帯端末等から構成されるシステムに対しても適用することが可能となる。その場合には、上述した操作対応処理プログラム（図５）及び画面操作処理プログラム（図８）の各ステップは、サーバと携帯端末等のいずれが実施する構成としても良い。また、本発明を携帯端末等に適用する場合には、走行案内画面５０では、車両以外の移動体、例えば、携帯端末等のユーザや２輪車等の現在位置周辺の地図を示す場合もある。
【符号の説明】
【００６４】
１              ナビゲーション装置
１３            ナビゲーションＥＣＵ
１５            液晶ディスプレイ
１９            遠隔操作部
３２            操作対応テーブル
４１            ＣＰＵ
４２            ＲＡＭ
４３            ＲＯＭ
５０            走行案内画面
６０            ＴＶ画面
【図１】
2012189428.tif 000003
【図２】
2012189428.tif 000004
【図３】
2012189428.tif 000005
【図４】
2012189428.tif 000006
【図５】
2012189428.tif 000007
【図６】
2012189428.tif 000008
【図７】
2012189428.tif 000009
【図８】
2012189428.tif 000010